(57)【要約】【課題】機構設計やデザインに悪影響を与えることなく、携帯端末装置の本体筐体を閉じた状態における機能設定やアプリケーションプログラムの操作を可能とし、携帯端末装置の利便性を向上する。【解決手段】第２の筐体２の外表面には、本体筐体を閉じたままで見ることができる第２のディスプレイ５が設けられ、この第２のディスプレイ５上には透明なタッチパネル４が重ねて設けられている。また、第２のディスプレイ５に、携帯端末装置の機能設定用画面や携帯端末装置が有するアプリケーションプログラムの画面を表示できるようにする。そして、ユーザがディスプレイ５上のタッチパネル４に触れることによって、ディスプレイ５に表示される内容に対応した情報の入力を可能とする。【選択図】  図５
2004363683.tif 000002
【特許請求の範囲】
【請求項１】
本体筐体を開閉することができ、かつ、前記本体筐体を閉じた状態でも見ることが可能な表示部を備える携帯端末装置であって、
前記表示部の表示画面上に重ねて設けられた透光部材からなる接触型操作手段と、
前記表示部の表示画面に、複数の手順を伴う処理に関する画面を表示するとともに、前記表示画面上の接触型操作手段が接触操作された場合に、前記表示画面に表示される内容及び前記接触型操作手段の操作位置に対応した情報の入力を可能とした制御手段と、
を備える携帯端末装置。
【請求項２】
折り畳み可能な第１の筐体及び第２の筐体を有してなる本体筐体を備えるとともに、前記第１の筐体の主面に第１の表示部を、裏面に第２の表示部をそれぞれ備え、前記本体筐体を折畳んだ状態でも前記第２の表示部の表示を見ることが可能な折畳式の携帯端末装置であって、
前記第２の表示部の表示画面上に重ねて設けられた透光部材からなる接触型操作手段と、
前記第２の表示部の表示画面に、複数の手順を伴う処理に関する画面を表示するとともに、前記表示画面上の接触型操作手段が接触操作された場合に、前記表示画面に表示される内容及び前記接触型操作手段の操作位置に対応した情報の入力を可能とした制御手段と、
を備える携帯端末装置。
【請求項３】
請求項１または２記載の携帯端末装置であって、
前記複数の手順を伴う処理に関する画面は、前記携帯端末装置の機能設定用画面、前記携帯端末装置が有するアプリケーションプログラムの画面の少なくとも一方を含む携帯端末装置。
【請求項４】
請求項２記載の携帯端末装置であって、
前記第１の表示部と前記第２の表示部における表示の切換を制御する表示切換制御部を備え、
前記表示切換制御部は、前記本体筐体が閉じられている状態で前記第２の表示部に前記複数の手順を伴う処理に関する画面を表示しているときに、前記本体筐体が開かれた場合、前記第２の表示部に表示していた内容を前記第１の表示部に表示するとともに、前記第２の表示部の表示を消去するように制御するものである携帯端末装置。
【請求項５】
請求項２記載の携帯端末装置であって、
前記第１の表示部と前記第２の表示部における表示の切換を制御する表示切換制御部を備え、
前記表示切換制御部は、前記本体筐体が開かれている状態で前記第１の表示部に前記複数の手順を伴う処理に関する画面を表示しているときに、前記本体筐体が閉じられた場合、前記第１の表示部に表示していた内容を前記第２の表示部に表示するとともに、前記第１の表示部の表示を消去するように制御するものである携帯端末装置。
【発明の詳細な説明】
【０００１】
【発明の属する技術分野】
本発明は、携帯端末装置に関し、特に、本体筐体を開閉可能であり、かつ、本体筐体が閉じた状態でもユーザが見ることが可能な表示部を備える携帯端末装置に関する。
【０００２】
【従来の技術】
折畳式の携帯電話端末を例にとると、近年、本体筐体を閉じたままでも、本体筐体の外側に設けられたディスプレイにより着信相手を確認したり、あるいは、そのディスプレイ上に好みの画像を表示する、といったことができるようになってきた。
【０００３】
しかし、本体筐体を閉じたままで行えるのは、本体筐体の外側に設けられたディスプレイによる表示に止まり、携帯電話端末の機能設定を行ったり、アプリケーションを操作したりすることはできない。これは、それらの操作を行うための操作キーが本体筐体の内側にあるからである。したがって、携帯電話端末の機能設定やアプリケーションの操作を行う際には、折畳式携帯電話機の本体筐体を開かざるを得ない。
【０００４】
この点にかんがみ、ディスプレイと共に操作キーも本体筐体の外側の面に設け、本体筐体を閉じたままでも、文字等の入力操作を行えるようにした携帯電話機の例が、特許文献１に記載されている。
【０００５】
【特許文献１】
特開２００２−３２５１２４（図１−図５）
【０００６】
【発明が解決しようとする課題】
しかし、本体筐体の外側にも操作キーを設けると、携帯端末装置の機構設計を変更する必要があり、機構設計上の制約が増えたり、携帯端末装置の大型化やコスト高につながったり、あるいは、携帯端末装置のデザイン性を損なう場合もある。
【０００７】
本発明は、上記事情に鑑みてなされたもので、機構設計やデザインに悪影響を与えることなく、携帯端末装置の本体筐体を閉じた状態における携帯端末装置の機能設定やアプリケーションプログラムの操作等を可能として、携帯端末装置の利便性を向上することが可能な携帯端末装置を提供することを目的とする。
【０００８】
【課題を解決するための手段】
本発明の携帯端末装置の一態様は、本体筐体を開閉することができ、かつ、前記本体筐体を閉じた状態でも見ることが可能な表示部を備える携帯端末装置であって、前記表示部の表示画面上に重ねて設けられた透光部材からなる接触型操作手段と、前記表示部の表示画面に、複数の手順を伴う処理に関する画面を表示するとともに、前記表示画面上の接触型操作手段が接触操作された場合に、前記表示画面に表示される内容及び前記接触型操作手段の操作位置に対応した情報の入力を可能とした制御手段と、を備えるものである。
【０００９】
このような構成により、特別な操作キーを設けずに済むため、機構設計やデザインに悪影響を与えることなく、本体筐体を閉じたままでの一連の処理の操作、実行が可能となる。
【００１０】
また、本発明の携帯端末装置の一態様は、折り畳み可能な第１の筐体及び第２の筐体を有してなる本体筐体を備えるとともに、前記第１の筐体の主面に第１の表示部を、裏面に第２の表示部をそれぞれ備え、前記本体筐体を折畳んだ状態でも前記第２の表示部の表示を見ることが可能な折畳式の携帯端末装置であって、前記第２の表示部の表示画面上に重ねて設けられた透光部材からなる接触型操作手段と、前記第２の表示部の表示画面に、複数の手順を伴う処理に関する画面を表示するとともに、前記表示画面上の接触型操作手段が接触操作された場合に、前記表示画面に表示される内容及び前記接触型操作手段の操作位置に対応した情報の入力を可能とした制御手段と、を備えるものである。
【００１１】
このような構成により、特別な操作キーを設けずに済むため、機構設計やデザインに悪影響を与えることなく、また、折畳式携帯端末装置の大型化を招くことなく、本体筐体を閉じたままでの一連の処理の操作、実行が可能となる。
【００１２】
また、本発明の携帯端末装置の一態様は、上記いずれかの携帯端末装置であって、前記複数の手順を伴う処理に関する画面は、前記携帯端末装置の機能設定用画面、前記携帯端末装置が有するアプリケーションプログラムの画面の少なくとも一方を含むものである。
【００１３】
これにより、本体筐体を閉じた状態で見ることが可能な表示部において、携帯端末装置の機能設定やアプリケーションプログラムの実行等に必要な事項の表示、及びこの表示に対応する操作入力が可能となり、機構設計やデザインに悪影響を与えることなく、本体筐体を閉じたままで所望の処理の操作、実行が可能である。
【００１４】
また、本発明の携帯端末装置の一態様は、上記の第１の筐体及び第２の筐体を有する携帯端末装置であって、前記第１の表示部と前記第２の表示部における表示の切換を制御する表示切換制御部を備え、前記表示切換制御部は、前記本体筐体が閉じられている状態で前記第２の表示部に前記複数の手順を伴う処理に関する画面を表示しているときに、前記本体筐体が開かれた場合、前記第２の表示部に表示していた内容を前記第１の表示部に表示するとともに、前記第２の表示部の表示を消去するように制御するものである。
【００１５】
これにより、本体筐体が閉状態から開状態になったとき、第２の表示部から第１の表示部への表示切換が自動的に行われ、筐体の開閉状態に応じた表示部の切換制御によって視認可能な状態が維持される。したがって、ユーザは、特別なキー操作等をすることなく、表示部の表示内容を見ながら所望の操作を続行することができる。
【００１６】
また、本発明の携帯端末装置の一態様は、上記の第１の筐体及び第２の筐体を有する携帯端末装置であって、前記第１の表示部と前記第２の表示部における表示の切換を制御する表示切換制御部を備え、前記表示切換制御部は、前記本体筐体が開かれている状態で前記第１の表示部に前記複数の手順を伴う処理に関する画面を表示しているときに、前記本体筐体が閉じられた場合、前記第１の表示部に表示していた内容を前記第２の表示部に表示するとともに、前記第１の表示部の表示を消去するように制御するものである。
【００１７】
これにより、本体筐体が開状態から閉状態になったとき、第１の表示部から第２の表示部への表示切換が自動的に行われ、筐体の開閉状態に応じた表示部の切換制御によって視認可能な状態が維持される。したがって、ユーザは、特別なキー操作等をすることなく、表示部の表示内容を見ながら所望の操作を続行することができる。
【００１８】
【発明の実施の形態】
本実施形態では、携帯端末装置の一例として、折畳式携帯電話機の構成例を示す。
【００１９】
（第１実施形態）
図１〜図４は本発明の第１実施形態を説明するための折畳式携帯電話機の構成を示す図であり、図１は折畳式携帯電話機の本体筐体を閉じた状態における側面図、図２は折畳式携帯電話機の本体筐体を閉じた状態における正面図である。また、図３は折畳式携帯電話機の本体筐体を開いた状態における側面図、図４は折畳式携帯電話機の本体筐体を開いた状態における正面図である。
【００２０】
図示されるように、この折畳式携帯電話機は、第１の筐体１と第２の筐体２がヒンジ部３により折畳み自在（開閉自在）に連結された構造を有する。第１の筐体１及び第２の筐体２は本体筐体を構成する。第１の筐体１と第２の筐体２が、図１及び図２のように互いに重なる状態が、本体筐体が閉じた状態である。また、図３及び図４のように、第１の筐体１と第２の筐体２が重ならず、第１の筐体１の主面（内表面）に設けられた各種のキーが露出した状態が、本体筐体が開いた状態である。
【００２１】
第２の筐体２の内表面（本体筐体が閉じた状態において露出しない表面）には、液晶表示装置などからなる表示部の一例である大型の第１のディスプレイ６が設けられている。また、第２の筐体２の外表面（本体筐体が閉じた状態において外側に露出する表面）には、液晶表示装置等からなる表示部の一例である比較的大型の第２のディスプレイ５が設けられている。
【００２２】
図１及び図２のように、本体筐体が閉じられているときは、第１のディスプレイ６には何も表示されない。一方、第２のディスプレイ５には、通信相手の表示等の他に、折畳式携帯電話機の機能設定のための画面や、折畳式携帯電話機にインストールされているアプリケーションプログラムの画面を表示させることができる。また、図１〜図４に示されるように、第２のディスプレイ５には、透明な接触型操作手段の一例であるタッチパネル４が重ねて設けられており、第２のディスプレイ５が表示する画面（例えば、機能設定画面）の所定個所の上を指で触れると、タッチパネル４がそれを認識するようになっている（詳細は後述する）。
【００２３】
タッチパネル４としては、抵抗膜方式のものや静電容量方式のものが使用できるが、指による入力のみを受け付け、指以外の物の接触による誤入力を極力排除するために、静電容量方式のものを使用することが好ましい。
【００２４】
また、ヒンジ部３には、伸縮自在のアンテナ７が設けられている。さらに、第２の筐体２には磁石８が内蔵されており、また、第１の筐体１には磁気センサ９が内蔵されている。磁石８及び磁気センサ９は、本体筐体の開閉を検知するためのセンサ（図６の開閉検出センサ２１）を構成する。すなわち、磁石８が磁気センサ９に接近している状態（図１、図２）では、磁気センサ９の出力がオンとなり、離れているとき（図３、図４）では、磁気センサ９の出力がオフとなり、これによって、本体筐体の開閉状態を検出することができる。
【００２５】
また、第１の筐体１の主面には、図４に示すように、折畳式携帯電話機のメインメニュー項目群を表示させるためのメニューキー１０、メニュー項目群の中から望みの項目を選択し決定するためのナビゲーションキー１１、メール操作のメニュー項目群を表示させるメールキー１２が設けられている。さらに、音声通話を行うための通話開始キー１３、通話終了キー１４、テンキー１５が設けられている。これらの各種キーを総称して操作キーという。また、第１の筐体１の主面には、送話器（マイク）１６、受話器（スピーカ）１７が設けられている。
【００２６】
次に、図５〜図９を用いて、本体筐体が折り畳まれた状態（閉じた状態）において、機能設定やアプリケーションプログラムを操作する方法、及び、その場合の折畳式携帯電話機の動作について説明する。
【００２７】
図５は、折り畳まれた状態（閉状態）の折畳式携帯電話機を手で持った状態を示す図である。以下の説明では、折畳式携帯電話機の機能設定やアプリケーションプログラムの操作は、図５の状態（閉状態）で行うものとする。すなわち、ユーザは、図５の状態において、第２のディスプレイ５の表示内容を見ながら、その上に重ねられた透明なタッチパネル４に指で触れることにより操作を行う。
【００２８】
図６は、第１実施形態における折畳式携帯電話機の主要な内部構成を示すブロック図である。図示されるように、折畳式携帯電話機は、先に説明した第１のディスプレイ６、第２のディスプレイ５、タッチパッド４の他に、メモリ１８と、各部の動作を統括的に制御する制御部１９と、座標変換部２０と、開閉検出センサ２１と、を備える。
【００２９】
以下、図６を参照しつつ、図７を用いて、本体筐体を折り畳んだ状態で折畳式携帯電話機の機能設定を行う場合の操作について説明する。
【００３０】
図７（ａ）〜（ｅ）は、折畳式携帯電話機の受話音量を調整する場合の各過程における、第２のディスプレイの表示画面及びタッチパネルに対する指の位置を示す図である。なお、ここでは静電容量方式のタッチパネルを用いた場合を説明する。
【００３１】
まず、図７（ａ）に示すように、メインメニュー画面において「機能設定」の項目をユーザが指で触れる。すると、その指が触れた位置でタッチパネル４の静電容量が変化する。図６の座標変換部２０は、その静電容量の変化が発生した位置を、二次元座標であるＸ，Ｙ座標に変換する。座標変換部２０において変換した操作位置のＸ，Ｙ座標は、図６の制御部１９に送られる。制御部１９は、第２のディスプレイ５に表示されている各メニュー項目の位置情報と照らし合わせることにより、指がどの項目に触れたのかを判断する。
【００３２】
図７（ａ）の場合、制御部１９は、「機能設定」が選択されたことを認識し、図６のメモリ１８から「機能設定」のメニュー画面情報を読み出し、第２のディスプレイ５に「機能設定」メニュー画面を表示させる。この状態が図７（ｂ）である。
【００３３】
なお、図７（ａ）において、参照符号２２ａ、２２ｂで示される三角のマークは、選択可能な項目が画面外にもある場合に画面をスクロールさせるためのスクロールキーである。上側のスクロールキー２２ａを触れれば画面が上にスクロールし、下側のスクロールキー２２ｂを触れれば画面が下にスクロールする。
【００３４】
図７（ｂ）の表示画面において、「音設定」の項目を指で触れると、座標変換部２０及び制御部１９において上記説明と同様の処理がなされ、「音設定」のメニュー画面が第２のディスプレイ５に表示される。この状態が図７（ｃ）である。
【００３５】
以下同様に、図７（ｃ）の表示画面で「音量設定」の項目を指で触れると、図７（ｄ）に示すように「音量設定」のメニュー画面が表示される。さらに、図７（ｄ）の表示画面で「受話音量」の項目を指で触れると、図７（ｅ）に示すように、「受話音量」のメニュー画面が表示される。
【００３６】
ここで、三角マーク２３ａ、２３ｂに触れることにより、受話音量の増減を調整できる。つまり、三角のマーク２３ａに触れれば受話音量が増大し、三角のマーク２３ｂに触れれば、受話音量が減少する。
【００３７】
次に、図６を参照しつつ図８を用いて、本体筐体を折畳んだ状態でアプリケーションプログラムの操作を行う場合について説明する。
【００３８】
図８（ａ）〜（ｄ）は、折畳式携帯電話機が有するアプリケーションプログラムの１つであるメールプログラムの操作のうち、受信メールを閲覧する際の各過程における、第２のディスプレイの表示画面及びタッチパネルに対する指の位置を示す図である。
【００３９】
まず、図８（ａ）に示すように、メインメニュー画面において、「メール」の項目を指で触れる。すると、先に受話音量を調整する場合で説明したのと同様の処理過程により、座標変換部２０及び制御部１９においてタッチパネル４の操作位置検出処理がなされ、「メール」のメニュー画面が第２のディスプレイ５に表示される。この状態が図８（ｂ）である。
【００４０】
以下同様に、図８（ｂ）の表示画面において、「受信メール」の項目を指で触れると、図８（ｃ）に示すように受信メールの一覧画面が表示される。そして、図８（ｃ）の表示画面において、上から２段目の「２／５  １５：３０  田中」の項目を指で触れると、図６の制御部１９が、メモリ１８から該当するメール情報を読み出す。そして、図８（ｄ）に示すように、第２のディスプレイ５上に、そのメールの内容を示す画面が表示される。
【００４１】
このように、第１実施形態によれば、特別な操作キーを設けることなく、携帯端末装置の本体筐体を閉じたままで携帯端末装置の機能設定やアプリケーションプログラムの操作を行うことができ、これによって、携帯端末装置の利便性が向上する。
【００４２】
（第２実施形態）
第２実施形態では、折畳式携帯電話機が開状態から閉状態となった場合、あるいは、閉状態から開状態となった場合における表示の自動切換について説明する。
【００４３】
図９は、第２実施形態における本体筐体が開状態である場合及び閉状態である場合において、第１のディスプレイ６及び第２のディスプレイ５に表示される画面（メニュー画面）の例を示す図である。
【００４４】
図９の上側半分は、開状態における画面の例を示し、下側半分は、閉状態における画面の例を示す。また、図９の左側半分は第１のディスプレイ６における画面の例を示し、右側半分は第２のディスプレイ５における画面の例を示す。
【００４５】
本体筐体が開かれた状態では、第１のディスプレイ６に、図９の左上に示されるような機能設定メニュー画面が表示されており、このとき、第２のディスプレイ５には、図９の右上に示されるとおり、何も表示されていない。
【００４６】
この状態において本体筐体を閉じると、これを図６の開閉検出センサ２１が検出し、制御部１９に本体筐体が閉じられたことを伝える。制御部１９は、図９の左下に示されるとおり、第１のディスプレイ６の表示を消去し、一方、図９の右下に示されるとおり、直前まで第１のディスプレイ６に表示されていた画面と同様の画面を第２のディスプレイ５に表示させる。
【００４７】
また、逆に、本体筐体が閉じられていて、図９の下側半分に示されるように第１のディスプレイ６の表示がオフされ、第２のディスプレイ５に機能設定メニュー画面が表示されている状態において、本体筐体を開いた場合には、図６の制御部１９は、各ディスプレイの表示を、図９の上側半分に示すように切換える。
【００４８】
このように、第２実施形態では、本体筐体を開いて行っていた操作を、途中から閉じて行いたいといった場合に、本体筐体を閉じるだけで画面の切換が自動的に行われ、ユーザが見ることのできるディスプレイに操作画面が表示されるため、スムーズに操作の続きを行うことができる。したがって、折畳式携帯電話機の利便性がさらに向上する。なお、本体筐体を閉じて行っていた操作を、途中から開いて行う場合も同様である。
【００４９】
（第３実施形態）
前述した第１及び第２実施形態では、携帯端末装置として折畳式携帯電話機を例にとって説明したが、第３実施形態では、図１０及び図１１に示すような、一方の筐体が他方の筐体に対して回動するタイプの携帯電話機に、第１実施形態と同様の構成を適用した例を示す。
【００５０】
図１０及び図１１は本発明の第３実施形態を説明するための携帯電話機の構成を示す図であり、図１０は携帯電話機の閉状態を示す斜視図、図１１は携帯電話機の一方の筐体が回動して開いた状態を示す斜視図である。
【００５１】
図示されるように、この携帯電話機は、第１の筐体３１と第２の筐体３０が結合部３３を中心として回動可能に連結されて構成されている。第２の筐体３０の外表面にはディスプレイ３２が設けられている。図１１に示すように、第１の筐体３１の主面に設けられた操作キー３４は、本体筐体が開いた状態で使用可能である。
【００５２】
第３実施形態では、第１実施形態と同様に、ディスプレイ３２に機能設定画面やアプリケーションプログラムの画面を表示可能とすると共に、このディスプレイ３２の表面に透明なタッチパネルによるキーパッドを重ねて設け、ユーザが指で触れることによって、表示画面に対応した情報入力を可能とする。これにより、図１０のような筐体が閉じられた状態でも、機能設定やアプリケーションの利用などの操作が可能となる。
【００５３】
このように、本発明は、折畳型の筐体を持つ携帯端末装置だけでなく、一方の筐体が他方の筐体に対して回動するタイプの携帯端末装置にも利用することができる。なお、本発明の携帯端末装置には、携帯電話機のような通信機能をもった通信端末装置の他、通信機能を持たないＰＤＡのような情報端末装置も含まれる。
【００５４】
以上説明したように、本実施形態では、本体筐体を閉じた状態において見ることが可能なサブディスプレイとして設けられる第２のディスプレイが大型化している点に着目し、このディスプレイを、複数の手順を伴う処理に関する事項、例えば携帯端末装置の機能設定用画面、または携帯端末装置が有するアプリケーションプログラムの画面を表示するディスプレイとして利用し、かつ、同時にその複数の手順を伴う処理を実際に実行するために必要な情報の入力手段としても利用するものである。すなわち、本体筐体に設けられたディスプレイを、複数の手順を伴う処理に関する事項の表示手段、及び、表示内容に対応した情報の入力手段として同時に機能させることにより、携帯端末装置のデザイン性を損なわずに、また、機構設計に悪影響を与えることなく、効率的に、携帯端末装置の本体筐体が閉じた状態における機能設定やアプリケーションの操作等を可能とすることができる。
【００５５】
また、本体筐体の開閉に応じて、各ディスプレイに対する表示の切換が自動的に行われるため、機能設定やアプリケーション操作を行っている途中で開閉状態が変化したとしても、変化後の状態に応じたディスプレイで、すぐに続きの操作を行うことができる。
【００５６】
なお、ディスプレイを用いて行える処理として、上述の説明において例示されているアプリケーションの実行には、例えば、携帯端末を用いたオンライン銀行振り込み処理等の、多数の手順を伴う処理も含まれる。
【００５７】
【発明の効果】
以上説明したように本発明によれば、機構設計やデザインに悪影響を与えることなく、携帯端末装置の本体筐体を閉じた状態における携帯端末装置の機能設定やアプリケーションプログラムの操作等が可能となり、携帯端末装置の利便性を向上することができる。
【図面の簡単な説明】
【図１】本発明の第１実施形態に係る折畳式携帯電話機の本体筐体を閉じた状態における側面図
【図２】本発明の第１実施形態に係る折畳式携帯電話機の本体筐体を閉じた状態における正面図
【図３】本発明の第１実施形態に係る折畳式携帯電話機の本体筐体を開いた状態における側面図
【図４】本発明の第１実施形態に係る折畳式携帯電話機の本体筐体を開いた状態における正面図
【図５】第１実施形態における折り畳まれた状態（閉状態）の折畳式携帯電話機を手で持った状態を示す図
【図６】第１実施形態における折畳式携帯電話機の主要な内部構成を示すブロック図
【図７】第１実施形態における折畳式携帯電話機の受話音量を調整する手順を説明するための図であり、（ａ）〜（ｅ）は各々、折畳式携帯電話機の受話音量を調整する場合の各過程における、第２のディスプレイの表示画面及びタッチパネルに対する指の位置を示す図
【図８】第１実施形態における折畳式携帯電話機の本体筐体を折畳んだままでアプリケーションプログラムの操作を行う手順を説明するための図であり、（ａ）〜（ｄ）は各々、メールプログラムの操作のうち、受信メールを閲覧する際の各過程における、第２のディスプレイの表示画面及びタッチパネルに対する指の位置を示す図
【図９】本発明の第２実施形態における本体筐体が開状態である場合及び閉状態である場合において、第１のディスプレイ及び第２のディスプレイに表示される画面（メニュー画面）の例を示す図
【図１０】本発明の第３実施形態に係る携帯電話機の閉状態を示す斜視図
【図１１】本発明の第３実施形態に係る携帯電話機の一方の筐体が回動して開いた状態を示す斜視図
【符号の説明】
１  第１の筐体
２  第２の筐体
３  ヒンジ部
４  タッチパネル
５  第２のディスプレイ
６  第１のディスプレイ
７  アンテナ
８  磁石
９  磁気センサ
１０  メニューキー
１１  ナビゲーションキー
１２  メールキー
１３  通話開始キー
１４  通話終了キー
１５  テンキー
１６  送話器（マイク）
１７  受話器（スピーカ）
１８  メモリ
１９  制御部
２０  座標変換部
２１  開閉検出センサ（磁石と磁気センサの組み合わせ）
【図１】
2004363683.tif 000003
【図２】
2004363683.tif 000004
【図３】
2004363683.tif 000005
【図４】
2004363683.tif 000006
【図５】
2004363683.tif 000007
【図６】
2004363683.tif 000008
【図７】
2004363683.tif 000009
【図８】
2004363683.tif 000010
【図９】
2004363683.tif 000011
【図１０】
2004363683.tif 000012
【図１１】
2004363683.tif 000013